(57)【要約】　　　（修正有）【課題】ディスクに対するアクセスタイムを短縮させた光ピックアップアクチュエータ及びこれを採用した光記録及び／または再生装置を提供する。【解決手段】ベース１００と、前記ベース一側に形成されたワイヤホルダ１０３と、対物レンズ１０５が搭載されたボビン１０７と、前記ボビンとワイヤホルダ間に設けられ、ダンピング部材１３０が挿入された第１ヨーク１１８と前記ボビンの他方に設けられた第２ヨーク１２０と、一端が前記ボビンに固定され、他端が前記ボビンを遊動自在に支持するワイヤサスペンション１０９，１１０と、前記ボビンをフォーカシング方向及びトラッキング方向に駆動させるための磁気駆動部とを含む構成の光ピックアップアクチュエータとし、ダンピング効果を向上させることによって、高倍速光記録／再生装置において重要な性能であるアクセスタイムを短縮させた。【選択図】図４
2004139722.tif 000002
【特許請求の範囲】
【請求項１】
　ベースと、
　前記ベースに形成されたワイヤホルダと、
　対物レンズが搭載されたボビンと、
　前記ボビンとワイヤホルダ間に設けられ、ダンピング部材が挿入された第１ヨークと前記ボビンの他方に設けられた第２ヨークと、
　一端が前記ワイヤホルダに固定され、他端が前記ボビンを遊動自在に支持する複数のワイヤサスペンションと、
　前記ボビンをフォーカシング方向及びトラッキング方向に駆動させるための磁気駆動部とを含むことを特徴とする光ピックアップアクチュエータ。
【請求項２】
　前記第１ヨーク及び第２ヨークは中央壁と側壁とを有し、前記第１ヨークの両側壁に長手方向に貫通ホールが形成され、この貫通ホールにダンピング部材が挿入され、前記ワイヤサスペンションがこのダンピング部材を通過して行くことを特徴とする請求項１に記載の光ピックアップアクチュエータ。
【請求項３】
　前記磁気駆動部は、
　前記ボビンの側壁に沿って巻線されたフォーカシングコイルと、
　前記ボビンのエッジに巻線されたトラッキングコイルと、
　前記第１及び第２ヨークに付着されたマグネットとを備えることを特徴とする請求項１または２に記載の光ピックアップアクチュエータ。
【請求項４】
　前記トラッキングコイルは前記フォーカシングコイルと垂直に巻線され、その一部は前記マグネットと対向する面に巻線され、他の部分はマグネットと対向しない隣接面に巻線されることを特徴とする請求項３に記載の光ピックアップアクチュエータ。
【請求項５】
　前記磁気駆動部は、
　前記第１及び第２ヨークに付着された多極着磁マグネットと、
　前記多極着磁マグネットに対して対向するようにボビンに配され、トラッキングコイルとフォーカシングコイルとがパターン化された微細類型コイルとを含むことを特徴とする請求項１に記載の光ピックアップアクチュエータ。
【請求項６】
　前記ダンピング部材が対物レンズの光軸に近く配されることを特徴とする請求項１に記載の光ピックアップアクチュエータ。
【請求項７】
　ベースと、
　対物レンズが搭載されたボビンと、
　前記ボビンの両側に対称的に配され、中央壁と両側壁とを有し、前記両側壁に形成された溝にダンピング部材が挿入された第１及び第２ヨークと、
　前記第１及び第２ヨークの外側に形成された第１及び第２ワイヤホルダと、
　一端が前記第１ワイヤホルダに固定され、他端が前記第２ワイヤホルダに移動自在に支持され、前記ダンピング部材を通過して行くように配され、前記ボビンを遊動自在に支持するワイヤサスペンションと、
　前記ボビンをフォーカシング方向及びトラッキング方向に駆動させるための磁気駆動部とを含むことを特徴とする光ピックアップアクチュエータ。
【請求項８】
　前記磁気駆動部は、
　前記ボビンの側壁に沿って巻線されたフォーカシングコイルと、
　前記ボビンのエッジに巻線されたトラッキングコイルと、
　前記第１及び第２ヨークに付着されたマグネットとを含むことを特徴とする請求項７に記載の光ピックアップアクチュエータ。
【請求項９】
　前記マグネットは前記第１及び第２ヨークの両側壁間に形成された中央溝に挿入されることを特徴とする請求項８に記載の光ピックアップアクチュエータ。
【請求項１０】
　前記第２ワイヤホルダに貫通ホールが形成され、この貫通ホールに前記ワイヤサスペンションの端部が遊動自在に挿入されたことを特徴とする請求項８または９に記載の光ピックアップアクチュエータ。
【請求項１１】
　前記磁気駆動部は、
　前記第１及び第２ヨークに付着された多極着磁マグネットと、
　前記多極着磁マグネットに対して対向するようにボビンに配され、トラッキングコイルとフォーカシングコイルとがパターン化された微細類型コイルとを含むことを特徴とする請求項７に記載の光ピックアップアクチュエータ。
【請求項１２】
　前記ダンピング部材が対物レンズの光軸に近く配されることを特徴とする請求項７に記載の光ピックアップアクチュエータ。
【請求項１３】
　ディスクを回転させるスピンドルモータと、前記ディスクの半径方向に移動自在に設けられて前記ディスクに／から記録／再生する光ピックアップと、前記スピンドルモータと光ピックアップとを駆動するための駆動部と、前記光ピックアップのフォーカス、トラックサーボを制御するための制御部とを含む光記録／再生装置において、
　前記光ピックアップは、
　ベースと、
　前記ベース一側に形成されたワイヤホルダと、
　対物レンズが搭載されたボビンと、
　前記ボビンとワイヤホルダ間に設けられ、ダンピング部材が挿入された第１ヨークと前記ボビンの他方に設けられた第２ヨークと、
　一端が前記ワイヤホルダに固定され、他端が前記ボビンを遊動自在に支持するワイヤサスペンションと、
　前記ボビンをフォーカシング方向及びトラッキング方向に駆動させるための磁気駆動部とを含むことを特徴とする光記録及び／または再生装置。
【請求項１４】
　前記第１ヨーク及び第２ヨークは中央壁と側壁とを有し、前記第１ヨークの両側壁に長手方向に貫通ホールが形成され、この貫通ホールにダンピング部材が挿入され、前記ワイヤサスペンションがこのダンピング部材を通過して行くことを特徴とする請求項１３に記載の装置。
【請求項１５】
　前記磁気駆動部は、
　前記ボビンの側壁に沿って巻線されたフォーカシングコイルと、
　前記ボビンのエッジに巻線されたトラッキングコイルと、
　前記第１及び第２ヨークに付着されたマグネットとを備えることを特徴とする請求項１３または１４に記載の装置。
【請求項１６】
　前記トラッキングコイルは前記フォーカシングコイルと垂直に巻線され、その一部は前記マグネットと対向する面に巻線され、他の部分はマグネットと対向しない隣接する面に巻線されることを特徴とする請求項１５に記載の装置。
【請求項１７】
　前記磁気駆動部は、
　前記第１及び第２ヨークに付着された多極着磁マグネットと、
　前記多極着磁マグネットに対して対向するようにボビンに配され、トラッキングコイルとフォーカシングコイルとがパターン化された微細類型コイルとを含むことを特徴とする請求項１３または１４に記載の装置。
【請求項１８】
　ベースと、
　前記ベースに設けられたワイヤホルダと、
　対物レンズが搭載されたボビンと、
　一端が前記ワイヤホルダに固定され、他端が前記ボビンを遊動自在に支持する複数のワイヤサスペンションと、
　前記ボビンに対して対称的に配された複数のＵ字型ヨークと、
　前記ヨークの各壁に形成されたグルーブに挿入され、前記ワイヤサスペンションが通過して行くダンピング部材と、
　前記ボビンをフォーカシング方向及びトラッキング方向に駆動させるための磁気駆動部とを含むことを特徴とする光ピックアップアクチュエータ。
　
【発明の詳細な説明】
【技術分野】
【０００１】
　本発明は光ピックアップアクチュエータ及びこれを採用した光記録／再生装置に係り、一層詳細にはヨークにダンピング部材を挿入してダンピング効果を向上させてディスクに対するアクセスタイムを短縮させた光ピックアップアクチュエータ及びこれを採用した記録／再生装置に関する。
【背景技術】
【０００２】
　高倍速光再生及び／または記録機器の再生において、最も重要な性能のうち一つはディスクに対するアクセスタイムである。このアクセスタイムを縮めるための一方法としてアクチュエータのＱファクタ、すなわちダンピングファクタを減らす方法がある。アクチュエータは光ディスクと同じ光情報貯蔵媒体に情報を記録したり再生する光ピックアップを駆動する装置である。このような光ピックアップアクチュエータはマグネットとフォーカシング及びトラッキングコイルによる電磁気的相互作用により光ピックアップのフォーカシング及びトラッキングサーボを具現する。すなわち、光ピックアップアクチュエータにより対物レンズのフォーカシング及びトラッキング動作が行われる。
【０００３】
　従来の光ピックアップアクチュエータは、図１を参照すれば対物レンズ４２がボビン４０に搭載され、前記ボビン４０は一端がホルダ１４に固定されたサスペンションワイヤ４４ａ，４４ｂにより遊動自在に支持され、前記ボビン４０をフォーカシング及びトラッキング方向に駆動させるための磁気駆動手段が備わる。
【０００４】
　磁気駆動手段は前記ボビン４０周辺に巻線されたフォーカシングコイル５４と、このフォーカシングコイル５４と直交すべく巻線されたトラッキングコイル５２ａ，５２ｂと、前記フォーカシングコイル５４及びトラッキングコイル５２ａ，５２ｂと対面するようにヨーク２０，２０’に付着されたマグネット３０，３０’とを備えて構成される。前記フォーカシングコイル５４またはトラッキングコイル５２ａ，５２ｂに電源が印加されれば、前記マグネット３０，３０’との相互作用によりボビン４０がフォーカス方向またはトラッキング方向に作動され、これにより対物レンズ４２のフォーカシング及びトラッキング動作が行われる。
【０００５】
　ところで、前記のような従来の光ピックアップアクチュエータはボビン４０がサスペンションワイヤ４４ａ，４４ｂによりホルダ１４に懸架されているために、対物レンズ４２のフォーカシング及びトラッキング動作時に振動が発生し、対物レンズ４２が目標地点に安定的に達するまで相当な時間がかかる。これについて、図２を参照してさらに詳細に説明する。
【０００６】
　図２で、縦軸Ｓは対物レンズ４２が目標地点まで達するために移動すべきな距離を、横軸ｔは対物レンズ４２が目標地点に達するのにかかる時間を示す。ここで、Ｇａは対物レンズ４２の理想的な動きを示す線図である。この場合、対物レンズ４２は目標地点Ｔまで達するのに「０」の時間がかかる。しかし、この場合は対物レンズ４２の速度（線図「Ｇａ」の傾き）が瞬間的に無限大の値を有さなければならないために現実的に不可能である。Ｇｂは対物レンズ４２の現実的な動きを示す線図のうち一つである。この場合は対物レンズ４２が目標地点Ｔまで安定して達するのに「ｔｂ」の時間がかかる。この時間ｔｂを縮めるために対物レンズ４２の移動速度を速くするならば、「Ｇｃ」や「Ｇｄ」と表されたように、対物レンズ４２が目標地点Ｔまで達するのにかかる時間を「ｔｂ」から「ｔｃ」または「ｔｄ」で縮められる。しかし、対物レンズの速度を速くすればするほど対物レンズが大きく振動する。
【０００７】
　上記の通りに対物レンズが安定的に目標地点に達するのにかかる時間が記録機器のアクセスタイムを決定する一つの要素となる。このアクセスタイムを縮めるためにＱファクタを減らすための努力が進められてきた。従来にＱファクタを減らすためにホルダにダンパボンドを注入した例がある。
【０００８】
　図１で、前記ホルダ１４にダンパボンド６０が挿入される。前記ダンパボンド６０によりダンピングが発生し、ダンピング力（ｆ＝ｃｖ）は前記ダンパボンド６０とワイヤサスペンション４４ａ，４４ｂ間の相対速度ｖとダンピング係数ｃとにより決定される。ここで、ワイヤサスペンションの固定点から遠く離れているほどワイヤサスペンションの変位が大きくなるので、相対速度が速くなる。ダンピング力は相対速度に比例するので、ワイヤサスペンションの固定点から近い地点にダンピングを発生させる時、ボビンが動く速度に比べてワイヤサスペンションとダンピング部材間の相対速度が遅くなるのでダンピング力が小さくなる。ところで、ダンピング力が大きくなり、Ｑファクタが小さくなる時にドライブのアクセスタイムを短縮させられる。しかし、図１のような構造ではダンパボンドがワイヤサスペンションの固定点から近く位置していてダンピング力が確保され難い。従って、過度なダンピングが起こるためにＱファクタを１０ｄＢ水準以下に減らし難く、このような程度ではアクセスタイムを縮めるのに限界がある。
【０００９】
　これに対し、Ｑファクタをさらに減らすためにコイルとマグネット間に適正な強さの磁束密度を有する磁性流体を注入してＱファクタを０ｄＢ水準に減衰させることによりアクセスタイムをかなり短縮させる方法が開発された。磁性流体が注入されたピックアップアクチュエータについては本発明の出願人が出願した特許文献１に開示されている。
【００１０】
　図３を参照すれば、ホルダ１４とボビン４０間に磁性流体７０が挿入される。しかし、磁性流体を流出させないための縫合問題が伴い、磁性流体が流出した時に汚染問題が誘発されるなど生産及び使用中に問題を引き起こす場合が多い。特に、高倍速になるほどにこのような問題が一層深刻に発生する。また、高倍速アクチュエータには一般の磁石の代わりに多分極着磁マグネット及び微細類型コイルなどを使用するが、このような多分極着磁マグネット及び微細類型コイルを使用する構造では磁性流体を付着できる方法がないので磁性流体の使用が不可能な問題がある。
【００１１】
　また、ＨＤ−ＤＶＤアクチュエータの場合、対物レンズを３枚使用する場合があるが、このように対物レンズが重くなればＤＣ感度とＡＣ感度とが低下する問題点がある。具体的に、ＨＤ−ＤＶＤ用の対物レンズの重さがほぼ１００ｍｇほどであるのに比べ、ＣＤ−ＲＷの場合には１４ｍｇであり、ＤＶＤの場合には２５ｍｇほどとなる。このように対物レンズが重くなるほどＤＣ感度とＡＣ感度とが低下するので、対物レンズの重量化を補償できるようにボビンを軽くする必要がある。
【特許文献１】韓国特許第１９９８−０４２３８５号公報
【発明の開示】
【発明が解決しようとする課題】
【００１２】
本発明は前記の問題点を解決するために案出され、対物レンズの光軸に近く位置したヨークにダンピング部材を挿入して高減衰を図ることによりアクセスタイムを短縮させ、ダンピング部材の漏れによる問題を防止した光ピックアップアクチュエータ及びこれを採用した光記録及び／または再生装置を提供するところにその目的がある。
【課題を解決するための手段】
【００１３】
　前記の目的を達成するために本発明による光ピックアップアクチュエータは、ベースと、前記ベース一側に形成されたワイヤホルダと、対物レンズが搭載されたボビンと、前記ボビンとワイヤホルダ間に設けられ、ダンピング部材が挿入された第１ヨークと前記ボビンの他方に設けられた第２ヨークと、一端が前記ボビンに固定され、他端が前記ボビンを遊動自在に支持するワイヤサスペンションと、前記ボビンをフォーカシング方向及びトラッキング方向に駆動させるための磁気駆動部とを含むことを特徴とする。
【００１４】
　前記第１ヨーク及び第２ヨークは中央壁と側壁とを有し、前記第１ヨークの両側壁に長手方向に貫通ホールが形成され、この貫通ホールにダンピング部材が挿入され、前記ワイヤサスペンションがこのダンピング部材を通過して行くことが望ましい。
【００１５】
　前記磁気駆動部は、前記ボビンの側壁に沿って巻線されたフォーカシングコイルと、前記ボビンのエッジに巻線されたトラッキングコイルと、前記第１及び第２ヨークに付着されたマグネットとを備えて構成されうる。
【００１６】
　前記トラッキングコイルは前記フォーカシングコイルと垂直に巻線され、その一部は前記マグネットと対向する面に巻線され、他の部分はマグネットと対向しない隣接する面に巻線されることが望ましい。
【００１７】
　前記磁気駆動部は、前記第１及び第２ヨークに付着された多極着磁マグネットと、前記多極着磁マグネットに対して対向するようにボビンに配され、トラッキングコイルとフォーカシングコイルとがパターン化された微細類型コイルとを含むことを特徴とする。
【００１８】
　前記目的を達成するために本発明による光ピックアップアクチュエータは、ベースと、対物レンズが搭載されたボビンと、前記ボビンの両側に対称的に配され、中央壁と両側壁とを有し、前記両側壁に形成された溝にダンピング部材が挿入された第１及び第２ヨークと、前記第１及び第２ヨークの外側に形成された第１及び第２ワイヤホルダと、一端が前記第１ワイヤホルダに固定され、他端が前記第２ワイヤホルダに移動自在に支持され、前記ダンピング部材を通過して行くように配され、前記ボビンを遊動自在に支持するワイヤサスペンションと、前記ボビンをフォーカシング方向及びトラッキング方向に駆動させるための磁気駆動部とを含むことを特徴とする。
【００１９】
　前記の目的を達成するために、本発明による光記録及び／または再生装置は、ディスクを回転させるスピンドルモータと、前記ディスクの半径方向に移動自在に設けられて前記ディスクに／から記録／再生する光ピックアップと、前記スピンドルモータと光ピックアップとを駆動するための駆動部と、前記光ピックアップのフォーカス、トラックサーボを制御するための制御部とを含む光記録／再生装置において、前記光ピックアップは、ベースと、前記ベース一側に形成されたワイヤホルダと、対物レンズが搭載されたボビンと、前記ボビンとワイヤホルダ間に設けられ、ダンピング部材が挿入された第１ヨークと前記ボビンの他方に設けられた第２ヨークと、一端が前記ボビンに固定され、他端が前記ボビンを遊動自在に支持するワイヤサスペンションと、前記ボビンをフォーカシング方向及びトラッキング方向に駆動させるための磁気駆動部とを含むことを特徴とする。
【発明の効果】
【００２０】
　本発明は前記構成によりディスクにデータを光記録及び／または再生時に光ピックアップアクチュエータのダンピング効果を高め、ディスクに対するアクセスタイムを短縮することにより高倍速光記録／再生装置に適するように適用されうる。
【００２１】
　本発明による光ピックアップアクチュエータはヨークに粘度の高いダンピング部材を挿入してダンピング効果を向上させることにより、高倍速光記録／再生装置において最も重要な性能のうち一つであるアクセスタイムを短縮させた。特に、従来に磁性流体を使用する場合は微細類型コイルと多極着磁磁石とを備えたアクチュエータについては使用できない制限が伴った。しかし、本発明によるアクチュエータはこのような使用的制限がなく、その適用範囲が非常に広いメリットがある。
【００２２】
　また、ＨＤ−ＤＶＤアクチュエータの場合、対物レンズが重くなるにつれてＤＣ感度、ＡＣ感度が低下する問題点があるが、本発明でコイルの巻線方法を改善してボビンを軽くすることによりＤＣ感度とＡＣ感度の向上及び記録／再生性能の向上を図った。
【００２３】
　さらに、ボビンを中心に対称的に磁気回路を構成することにより、ピッチングモードの発生を抑制し、より安定したシステムを図れる。
【発明を実施するための最良の形態】
【００２４】
　以下、添付された図面を参照しつつ本発明の実施例を詳細に説明する。
【００２５】
　本発明の第１実施例による光ピックアップアクチュエータは図４を参照すれば、ベース１００の一側にワイヤホルダ１０３が形成され、対物レンズ１０５が搭載されたボビン１０７が第１及び第２ワイヤサスペンション１０９，１１０により遊動自在に支持されている。前記第１及び第２ワイヤサスペンション１１０はその一端が前記ワイヤホルダ１０３に固定され、他端が前記ボビン１０７の両側にそれぞれ結合されている。
【００２６】
　前記ボビン１０７は前記第１及び第２ワイヤサスペンション１０９，１１０により懸架されており、磁気駆動部によりトラッキング方向Ｔ及びフォーカシング方向Ｆに動作されることによりディスクに対する対物レンズ１０５の運動が制御される。
【００２７】
　磁気駆動部は、図５Ａ及び図５Ｂを参照すれば前記ボビン１０７を挟んでその両側に対向するように備わった第１及び第２マグネット１１３，１１５と、前記ボビン１０７に巻線されたフォーカシングコイル１２３及びトラッキングコイル１２５を含んで構成される。前記フォーカシングコイル１２３は、例えば前記ボビン１０７の周りに巻線され、前記トラッキングコイル１２５は前記ボビン１０７の各エッジに前記フォーカシングコイルの巻線方向と垂直方向に巻線される。このフォーカシングコイル１２３とトラッキングコイル１２５とに電源が印加される時、前記第１及び第２マグネット１１３，１１５との相互作用により前記ボビン１０７がフォーカシング方向またはトラッキング方向に作動される。
【００２８】
　前記トラッキングコイル１２５は前記ボビン１０７の各エッジに隣接する面の両側にかけて巻線される。ここで、マグネット１１３，１１５に対して対面するコイル部分１２５ａがボビンのトラッキング動作に寄与するトラッキングコイル１２５の有効コイルになり、他方にあるコイル部分１２５ｂはトラッキング動作に寄与するところがない。すなわち、前記有効コイル部分１２５ａだけボビンのトラッキング動作に有効に寄与する部分になる。この有効コイル部分１２５ａをボビンの片面に位置させ、他の部分１２５ｂをボビンの隣接する他方に位置させることによりトラッキングコイルの設置空間を最小限に縮小させられる。それにより、ボビン１０７の体積と重さとを減少させられる。このようにボビンを軽くすることにより、ＤＣ感度とＡＣ感度とを高められる。
【００２９】
　一方、前記第１及び第２マグネット１１３，１１５は第１及び第２ヨーク１１８，１２０に付着されるが、第１及び第２ヨーク１１８，１２０は前記マグネット１１３，１１５から発生する磁気力線の磁路を所望方向に誘導することにより、マグネット効率を高められる。ここで、前記第１及び第２ヨーク１１８，１２０は中央壁１１８ａ，１２０ａと側壁１１８ｂ，１２０ｂとを有する「コ」の字型に形成される。第１及び第２マグネット１１３，１１５が前記第１及び第２ヨーク１１８，１２０の中央溝１１８ｃ，１２０ｃに挿入される。
【００３０】
　そして、前記ワイヤホルダ１０３とボビン１０７間にある第１ヨーク１１８の側壁１１８ｂにそれぞれ長手方向に貫通された第１及び第２貫通ホール１２７，１２８が形成される。前記第１及び第２貫通ホール１２７，１２８は前記第１及び第２サスペンションワイヤ１０９，１１０が過ぎて行く通路に設けられることが望ましい。一方、前記第１及び第２ホール１２７，１２８には粘度の高いダンピング部材１３０が充填され、前記サスペンションワイヤ１０９，１１０をしてこのダンピング部材１３０を通過させる。
【００３１】
　前記ダンピング部材１３０は粘度の高い材料を選択し、前記第１及び第２ホール１２７，１２８からダンピング部材が流れ出したり漏出する心配がない。特に、前記ダンピング部材１３０としては非反応性ボンドのようにＵＶ照射なくして硬化される性質を有する材質が望ましい。
【００３２】
　一方、前記例では磁気駆動部が一般マグネットと巻線コイルとより構成された場合を説明したが、これに限定されずに多極着磁マグネットと微細類型コイルとより構成されもする。図６を参照すれば、多極着磁マグネット１３７が前記第１及び第２ヨーク１１８，１２０に付着され、トラッキングコイルとフォーカシングコイルとがパターン化された微細類型コイル１３５が前記多極着磁マグネット１３７に対して対向するようにボビン１０７に配されもする。ここで、図４と同じ参照番号を使用する部材は同じ機能及び作用を果たす構成要素を示すものであってその詳細な説明は省略する。
【００３３】
　本発明による光ピックアップアクチュエータのダンピング構造によれば、ダンピング部材１３０が第１ヨーク１１８に挿入されるので、多極着磁マグネットと微細類型コイルとより構成された磁気回路にも適するように適用されうる。
【００３４】
　上記の通りに構成されたアクチュエータの作用効果について述べる。
【００３５】
　アクチュエータに電源が印加されれば、前記ワイヤサスペンション１１０を介してフォーカシングコイル１２３またはトラッキングコイル１２５に電流が流れる。このワイヤサスペンション１１０は前記ボビン１０７を遊動自在に支持すると共に、電流が流れる電線の役割を果たす。前記フォーカシングコイル１２３またはトラッキングコイル１２５と第１及び第２マグネット１１３，１１５との電磁気的相互作用により前記対物レンズ１０５とボビン１０７とが作動される。この時、フォーカシング動作とトラッキング動作とはコイルに流れる電流の方向とマグネットにより発生する磁力線の方向とにより決定される。このようにボビン１０７がフォーカシング動作またはトラッキング動作をする時、ボビン１０７がワイヤサスペンション１１０により懸架されているために振動をする。このような振動によりボビン１０７が安定的に停止するまで一定の時間がかかる。
【００３６】
　図７Ａ及び図７Ｂは本発明による光ピックアップアクチュエータについてのダンピング効果を示した図面である。図７Ａは周波数に対するゲインと位相とを示し、点線グラフは位相を、実線グラフはゲインを示す。図７Ｂはボビンのフォーカシング及びトラッキング動作時の振動モードを示し、時間に対するボビンの位置変化を示したものである。
【００３７】
　一方、図８Ａは従来の技術としてワイヤホルダ１４にダンパボンド６０が挿入された場合のゲインと位相とを示したものである。図７Ａと図８Ａとを比較する時、従来のダンパボンドが挿入された場合に比べて本発明による光ピックアップアクチュエータでのダンピング効果が優秀であることが分かる。さらに詳細に説明すれば、ゲイン曲線で１Ｈｚでのゲインとピークでのゲインとの差がＱファクタ値で測定される。図７Ａでゲイン曲線を見ればＱファクタがほぼ０ｄＢであり、図８Ａでゲイン曲線を見ればほぼ２０ｄＢである。この結果によれば、本発明でのＱファクタが従来技術でのＱファクタに比べて顕著に減少し、これによりボビンのアクセスタイムが大きく短縮された。
【００３８】
　また、図７Ｂ及び図８Ｂを比較する時、従来構造では過度なダンピングによりサスペンションワイヤの運動が安定化するのに時間がかなりかかり、本発明による光ピックアップアクチュエータで従来の光ピックアップアクチュエータに比べて安定化時間がはるかに短縮されたことが分かる。
【００３９】
　図９ではダンピング部材を挿入する前と挿入した後でのアクチュエータのアクセスタイムを共に示した。ここで、１／３ストロークは光ピックアップアクチュエータがディスクのトラック方向幅の１／３範囲内で移動する時を示したものであり、フルストロークは光ピックアップアクチュエータがディスクの全体トラック方向幅内で順次移動する時を示したものである。また、ランダムアクセスは運動範囲の制限なくランダムにアクセスする場合を示したものである。
【００４０】
　これらの場合全てについてダンピング部材を挿入する前と挿入した後でのアクチュエータのアクセスタイムが短縮されたことが分かる。特に、ランダムアクセスの場合にその効果が顕著に示された。
【００４１】
　次に、本発明の第２実施例による光ピックアップアクチュエータは図１０Ａ及び図１０Ｂに示されたように、ベース１４０の両側に第１ワイヤホルダ１４３と第２ワイヤホルダ１４５とが備わり、対物レンズ１４７の搭載されたボビン１５０が第１及び第２ワイヤサスペンション１５３，１５４により遊動自在に支持される。
【００４２】
　前記第１及び第２サスペンション１５３，１５４の一端は前記第１ワイヤホルダ１４３に固定された固定端１５３ａ，１５４ａになっており、他端は前記第２ワイヤホルダ１４５に形成されたホール１５７に遊動自在に挿入された自由端１５３ｂ，１５４ｂになっている。前記ボビン１５０は第１及び第２サスペンション１５３，１５４により対称的に支持されている。
【００４３】
　前記ボビン１５０と第１及び第２ワイヤホルダ１４３，１４５間にそれぞれ第１及び第２ヨーク１５９，１６０が備わる。前記第１及び第２ヨーク１５９，１６０は中央壁１５９ａ，１６０ａと側壁１５９ｂ，１６０ｂとであり、この中央壁と側壁とにより中央溝１５９ｃ，１６０ｃが形成されている。この中央溝１５９ｃ，１６０ｃに第１及び第２マグネット１６４，１６５が挿着される。
【００４４】
　前記第１及び第２ヨーク１５９，１６０は両側壁にそれぞれ貫通ホール１６３が形成され、この貫通ホール１６３にダンピング部材１６７が挿入され、前記第１及び第２ワイヤ１５３，１５４が前記ダンピング部材１６７を通過して行く。
【００４５】
　一方、前記第１及び第２マグネット１６４，１６５と相互作用してボビン１５０を駆動させるフォーカシングコイル１５１とトラッキングコイル１５２とが備わる。前記ボビン１５０の側壁に沿ってフォーカシングコイル１５１が巻線され、ボビンの各エッジにトラッキングコイル１５２が巻線される。前記トラッキングコイル１５２は第１実施例で説明したのと同じ方法で巻線されている。すなわち、前記トラッキングコイル１５２は前記第１及び第２マグネット１６４，１６５に対して対向する面に配された有効コイル部分１５２ａと前記第１及び第２マグネット１６４，１６５と対面しない、隣接する面に配された無効コイル部分１５２ｂとより構成される。従って、ボビン１５０の重さと体積とを最小化できる構造よりなっている。
【００４６】
　また、前述のように第２実施例でも磁気駆動部が多極着磁マグネットと微細類型コイルとより構成されうることはもちろんである。
【００４７】
　本発明の第２実施例では前記第１及び第２サスペンションワイヤ１５３，１５４がボビン１５０を中心に両側に対称に配されているために、ピッチングモードによる副共振の発生が低減する長所がある。
【００４８】
　一方、本発明による光ピックアップアクチュエータを採用した光記録／再生装置は図１１を参照すれば、ディスクＤを回転させるためのスピンドルモータ１８０がターンテーブル２０３の下に設けられ、前記ターンテーブル２０３にディスクＤが装着され、前記ターンテーブル２０３との相互作用による電磁気力によりディスクＤをチャッキングするためのクランピング２０５が前記ターンテーブル２０３と対向するように設けられる。前記スピンドルモータ１８０によりディスクＤが回転する時、光ピックアップ２００が前記ディスクＤの半径方向に移動自在に設けられてディスクに記録された情報を再生／記録する。
【００４９】
　前記スピンドルモータ１８０と光ピックアップ２００とは駆動部２１０により駆動され、制御部２２０により前記光ピックアップ２００のフォーカス、トラックサーボを制御することによりディスクに対するデータの記録及び／または再生が行われる。前記光ピックアップ２００は対物レンズ１０５，１４７を有する光学系とこの対物レンズ１１０をフォーカス、トラック方向に駆動するためのアクチュエータとを含む。
【００５０】
　前記光ピックアップ２００を通じて検出されて光電変換された信号は前記駆動部２１０を介して前記制御部２２０に入力される。前記駆動部２１０は前記スピンドルモータ１８０の回転速度を制御し、入力された信号を増幅させ、光ピックアップ２００を駆動させる。前記制御部２２０は駆動部２１０から入力された信号を基に調節されたフォーカスサーボ命令及びトラックサーボ命令を再び駆動部２１０に送ってフォーカスサーボ及びトラッキングサーボを行う。
【００５１】
　前記光ピックアップ２００に前述の本発明による光ピックアップアクチュエータが採用される。本発明による光ピックアップアクチュエータは、図４に示されたようにホルダ１０３とボビン１０７間に配されたヨーク１１８にダンピング部材１３０が挿入されてダンピング効果が大きく示されるようにしたものである。
【００５２】
　また、本発明による光記録及び／または再生装置に図１０Ａに示されたようにサスペンションワイヤ１５３，１５４をボビン１５０を中心に両側に対称的に配し、前記ボビン１５０両側に配された第１及び第２ヨーク１５９，１６０にそれぞれダンピング部材１６７を挿入して構成されたアクチュエータを採用できる。
【産業上の利用可能性】
【００５３】
　本発明は高倍速光再生及び／または記録機器に効果的に適用可能である。
【図面の簡単な説明】
【００５４】
【図１】従来のダンパボンドが挿入された光ピックアップ装置の分解斜視図である。
【図２】従来の光ピックアップ装置でのダンピング効果を説明するための図面である。
【図３】従来の磁性流体が挿入された光ピックアップアクチュエータの斜視図である。
【図４】本発明の第１実施例による光ピックアップアクチュエータの斜視図である。
【図５Ａ】図４の平面図である。
【図５Ｂ】図４の正面図である。
【図６】本発明の第１実施例による光ピックアップアクチュエータでの微細類型コイルと多極着磁磁石とが備わった場合を例示した図面である。
【図７Ａ】本発明による光ピックアップ装置のダンピング効果を示したグラフである。
【図７Ｂ】本発明による光ピックアップ装置のダンピング効果を示したグラフである。
【図８Ａ】図１に示された従来の光ピックアップ装置のダンピング効果を示したグラフである。
【図８Ｂ】図１に示された従来の光ピックアップ装置のダンピング効果を示したグラフである。
【図９】本発明によりダンピング部材を挿入する前と後とでアクセスタイムを比較したグラフである。
【図１０Ａ】本発明の第２実施例による光ピックアップ装置の平面図である。
【図１０Ｂ】図１０Ａの正面図である。
【図１１】本発明による光記録及び／または再生装置の概略的な構成図である。
【符号の説明】
【００５５】
　１００　ベース
　１０３　ワイヤホルダ
　１０５　対物レンズ
　１０７　ボビン
　１０９　第１ワイヤサスペンション
　１１０　第２ワイヤサスペンション
　１１３　第１マグネット
　１１５　第２マグネット
　１１８　第１ヨーク
　１１８ａ，１２０ａ　中央壁
　１１８ｂ，１２０ｂ　側壁
　１１８ｃ，１２０ｃ　中央溝
　１２０　第２ヨーク
　１２３　フォーカシングコイル
　１２５　トラッキングコイル
　１２５ａ　有効コイル部分
　１２５ｂ　他の部分
　１２７　第１貫通ホール
　１２８　第２貫通ホール
　１３０　ダンピング部材
　Ｆ　フォーカシング方向
　Ｔ　トラッキング方向
【図１】
2004139722.tif 000003
【図２】
2004139722.tif 000004
【図３】
2004139722.tif 000005
【図４】
2004139722.tif 000006
【図５Ａ】
2004139722.tif 000007
【図５Ｂ】
2004139722.tif 000008
【図６】
2004139722.tif 000009
【図７Ａ】
2004139722.tif 000010
【図７Ｂ】
2004139722.tif 000011
【図８Ａ】
2004139722.tif 000012
【図８Ｂ】
2004139722.tif 000013
【図９】
2004139722.tif 000014
【図１０Ａ】
2004139722.tif 000015
【図１０Ｂ】
2004139722.tif 000016
【図１１】
2004139722.tif 000017